(57)【要約】【課題】２種類以上の専用自動運転の電動ポンプを用いることなく、検知部の高さ調整作業の容易な、非自動運転型ポンプのように小型・軽量化が可能で、小型の狭い槽内への設置に対しても検知部同士が絡み合いや緩衝のない、安価な非自動運転型電動ポンプの自動交互運転装置およびその制御方法を提供する。【解決手段】非自動運転型電動ポンプＰ１，Ｐ２の自動交互運転装置２であって、処理槽１内の液位を検知する検知部Ｓ１と、その検知信号に基づいて制御部３が内装された、前記ポンプＰ１，Ｐ２のモータＭ１，Ｍ２への電源の供給または停止を制御する制御部３を装備したコントロールボックス４から導出される受電ケーブルｊｋを商用電源５に接続すると共に、前記ポンプＰ１，Ｐ２の電源ケーブルｅｋと前記検知部Ｓ１の信号ケーブルｓｋを接続し、前記ポンプＰ１，Ｐ２のモータＭ１，Ｍ２への駆動電源が適正に制御供給されるよに構成する。【選択図】        図１
2016037930.tif 000002
【特許請求の範囲】
【請求項１】
処理槽内の液を排水する２台以上の非自動運転型電動ポンプを自動排水運転させるための自動交互運転装置において、該処理槽内の液位を検知する検知部と、該検知の信号に基づいて、前記２台以上のいずれか一方または双方或いは全ての非自動運転型電動ポンプのモータへの電源の供給または停止を制御する制御部を装備したコントロールボックスに、前記２台以上の非自動運転型電動ポンプの電源ケーブルおよび前記検知部の信号ケーブルを接続し、該コントロールボックスに接続され導出される受電ケーブルを商用電源に接続させることで、前記制御部に制御電源が供給され、前記検知部を接液可能に処理槽内に設置させることで、前記検知部の検知信号に基づいて、前記２台以上の非自動運転型電動ポンプのモータ毎に負荷電流の検知と発停の各手段の制御を司る制御部によって、前記２台以上の非自動運転型電動ポンプのモータへの駆動電源が適正に制御供給されるよう構成されていることを特徴とする、非自動運転型電動ポンプの自動交互運転装置。
【請求項２】
請求項１に記載の前記非自動運転型電動ポンプの自動交互運転装置であって、前記コントロールボックスには、更に増設用の非自動運転型電動ポンプの電源ケーブルと検知部の信号ケーブルが接続できるよう構成されていることを特徴とする、非自動運転型電動ポンプの自動交互運転装置。
【請求項３】
請求項１または２記載の前記非自動運転型電動ポンプの自動交互運転装置であって、前記検知部が導電性液体の液位を検知する電極で構成されていることを特徴とする、非自動運転型電動ポンプの自動交互運転装置。
【請求項４】
請求項１または２記載の前記非自動運転型電動ポンプの自動交互運転装置であって、前記検知部が非導電性液体に対しても液位検知が可能な、フロートスイッチまたは水圧センサ或いはプリズムセンサで構成されていることを特徴とする、非自動運転型電動ポンプの自動運交互転装置。
【請求項５】
処理槽内の液を排水する２台以上の非自動運転型電動ポンプを自動排水運転させるための自動交互運転装置の制御方法において、該処理槽内の液位を検知する検知部と、該検知の信号に基づいて、前記２台以上のいずれか一方または双方或いは全ての非自動運転型電動ポンプのモータへの電源の供給または停止を制御する制御部を装備したコントロールボックスに、前記２台以上の非自動運転型電動ポンプの電源ケーブルおよび前記検知部の信号ケーブルを接続し、該コントロールボックスに接続され導出される受電ケーブルを商用電源に接続させることで、前記制御部に制御電源が供給され、前記検知部を接液可能に槽内に設置させることで、前記検知部の検知信号に基づいて、前記２台以上の非自動運転型電動ポンプのモータ毎に負荷電流の検知と発停の各手段の制御を司る給電開閉部，処理部，指令部，設定・記憶部などが内装された制御部によって、前検知部からの検知信号に基づいて処理槽内の液位状態を判定し、前記設定・記憶部に予め設定または記憶され情報に基づいて、今回稼動該当のポンプと稼動設定時間と稼動無負荷設定電流および設定回数を判定基準情報として認識し、前記処理部で該判定基準情報を用いて対比判定された結果を基に、前記指令部からの指令を受けて給電開閉部から、前記２台以上の該当の非自動運転型電動ポンプのモータへの駆動電源が適正に制御供給されるよう構成されていることを特徴とする、非自動運転型電動ポンプの自動交互運転装置の制御方法。
【請求項６】
請求項５に記載の前記非自動運転型電動ポンプの自動交互運転装置の制御方法であって、前記コントロールボックスに増設用の検知部の信号ケーブルを接続し、該増設用の検知部を異常増水の高液位の検知信号として、前記設定・記憶部に予め設定の稼動設定時間と設定回数の判定基準情報に換えて認識し、前記処理部で前記判定基準情報を用いて対比判定された結果を基に、前記指令部からの指令を受けて前記給電開閉部から、前記２台以上の該当の非自動運転型電動ポンプのモータへの駆動電源が適正に制御供給されるよう構成されていることを特徴とする、非自動運転型電動ポンプの自動交互運転装置の制御方法。
【発明の詳細な説明】
【技術分野】
【０００１】
本発明は、液位検知の信号に基づいて、２台以上の非自動運転型電動ポンプを自動運転させる、非自動運転型電動ポンプの自動交互運転装置およびその制御方法に関するものである。
【背景技術】
【０００２】
検出部および制御部を電動ポンプと一体不可分に付設した、運転水位（上限水位）、停止水位（下限水位）に対応する二つの検知部（フロートスイッチ）をポンプ外部に繋留した１号ポンプと、異常水位、運転水位（上限水位）、停止水位（下限水位）に対応する三つの検知部（フロートスイッチ）をポンプ外部に繋留した２号ポンプにおいて、前記１および２号ポンプに繋留されたそれぞれの検知部（フロートスイッチ）の姿勢変化により、槽内の水位を検知し、該検知水位に応じた該当の１号または２号ポンプの起動および停止の切換えがなされるよう構成された自動交互運転型水中ポンプは公知である（例えば、特許文献１参照。）。
【先行技術文献】
【特許文献】
【０００３】
【特許文献１】特開平６−２４１１８９号公報
【発明の概要】
【発明が解決しようとする課題】
【０００４】
しかしながら、特許文献１の従来の電動ポンプの自動運転装置においては、前記二つの検知部をポンプ外部に繋留した１号ポンプと、前記三つの検知部をポンプ外部に繋留した２号ポンプの、それぞれ異なった２種類の専用の自動運転の電動ポンプを駆動制御する起動および停止の液位の設定変更に際して、電動ポンプに付設されたそれぞれの検知部の装着位置を上下方向に移動調整する必要があり、調整作業が面倒であると共に、検出部および制御部を電動ポンプと一体不可分に付設した自動運転専用の電動ポンプとしなければならず、非自動運転型ポンプのように小型・軽量化することができないことから、小型の狭い槽内への設置に対して、検知部同士が絡み合い、あるいは検知部同士が干渉しあう為、各検知部の位置調整が困難であることに加えて、それぞれ異なった２種類の自動運転の電動ポンプを用いることから、コストも嵩むという問題がある。
【０００５】
また、特許文献１の従来の電動ポンプの自動運転装置においては、検出部および制御部を電動ポンプと一体不可分に付設した自動運転専用の電動ポンプであることから、検知部の検知器は例えば当初設定の専用フロートスイッチで設定固定されていることから、検知対象液の性状に合わせた最良の検知器に、容易に交換対応することが出来ずに、例えば繊維状の夾雑物の多い汚水では、フロートスイッチに夾雑物が絡み易く適正な浮遊姿勢変化ができずに誤検知が生じるが、浮遊姿勢変化で液位検知しない水圧センサに交換対応できないことから、別途水圧センサ対応の自動運転専用の電動ポンプに入替対応しなければならず、現場で迅速かつ容易に対処出来ないことから、納期もコストも嵩むという問題がある。
【０００６】
更に、特許文献１の従来の電動ポンプの自動運転装置においては、当初計画の流入排水処理を超える場合に、本来は１および２号ポンプの能力を上げた、自動運転専用の電動ポンプに入替対応しなければならず、自動運転専用の電動ポンプを追加増設で対応しようとすれば、該追加増設のポンプが当初計画の流入排水処理を超えた流入量を排水担当することになり、他の自動交互運転されるポンプと比べて著しく発停頻度が多くなることから、追加増設のポンプの寿命が短くなってしまうため、それぞれのポンプの発停頻度を平準化して各ポンプ寿命を均等に延ばすことで、信頼の高い自動交互運転排水を行うことができなくなることから、頻繁に追加増設のポンプを入替対応しなけばならないという問題を有している。
【課題を解決するための手段】
【０００７】
前記目的を達成するために本発明の請求項１に係る発明は、処理槽内の液を排水する２台以上の非自動運転型電動ポンプを自動排水運転させるための自動交互運転装置において、該槽内の液位を検知する検知部と、該検知の信号に基づいて、前記２台以上のいずれか一方または双方或いは全ての非自動運転型電動ポンプのモータへの電源の供給または停止を制御する制御部を装備したコントロールボックスに、前記２台以上の非自動運転型電動ポンプの電源ケーブルおよび前記検知部の信号ケーブルを接続し、該コントロールボックスに接続され導出される受電ケーブルを商用電源に接続させることで、前記制御部に制御電源が供給され、前記検知部を接液可能に槽内に設置させることで、前記検知部の検知信号に基づいて、前記２台以上の非自動運転型電動ポンプのモータ毎に負荷電流の検知と発停の各手段の制御を司る制御部によって、前記２台以上の非自動運転型電動ポンプのモータへの駆動電源が適正に制御供給されるよう構成されている。
【０００８】
前記請求項１の非自動運転型電動ポンプの自動交互運転装置において、請求項２に係る発明は、前記コントロールボックスには、更に増設用の非自動運転型電動ポンプの電源ケーブルと検知部の信号ケーブルが接続できるよう構成されている。
【０００９】
また、前記請求項１または２記載の非自動運転型電動ポンプの自動交互運転装置において、請求項３に係る発明は、前記検知部が導電性液体の液位を検知する電極で構成されている。
【００１０】
更に、前記請求項１または２記載の非自動運転型電動ポンプの自動交互運転装置において、請求項４に係る発明は、前記検知部が非導電性液体に対しても液位検知が可能な、フロートスイッチまたは水圧センサ或いはプリズムセンサで構成されている。
【００１１】
前記目的を達成するために本発明の請求項５に係る発明は、処理槽内の液を排水する２台以上の非自動運転型電動ポンプを自動排水運転させるための自動交互運転装置の制御方法において、該槽内の液位を検知する検知部と、該検知の信号に基づいて、前記２台以上のいずれか一方または双方或いは全ての非自動運転型電動ポンプのモータへの電源の供給または停止を制御する制御部を装備したコントロールボックスに、前記２台以上の非自動運転型電動ポンプの電源ケーブルおよび前記検知部の信号ケーブルを接続し、該コントロールボックスに接続され導出される受電ケーブルを商用電源に接続させることで、前記制御部に制御電源が供給され、前記検知部を接液可能に槽内に設置させることで、前記検知部の検知信号に基づいて、前記２台以上の非自動運転型電動ポンプのモータ毎に負荷電流の検知と発停の各手段の制御を司る給電開閉部，処理部，指令部，設定・記憶部などが内装された制御部によって、前検知部からの検知信号に基づいて槽内の液位状態を判定し、前記設定・記憶部に予め設定または記憶された情報に基づいて、今回稼動該当のポンプと稼動設定時間と稼動無負荷設定電流および設定回数を判定基準情報として認識し、前記処理部で該判定基準情報を用いて対比判定された結果を基に、前記指令部からの指令を受けて給電開閉部から、前記２台以上の該当の非自動運転型電動ポンプのモータへの駆動電源が適正に制御供給されるよう構成されている。
【００１２】
また、請求項５に記載の非自動運転型電動ポンプの自動交互運転装置の制御方法において、請求項６に係る発明は、前記コントロールボックスに増設用の検知部の信号ケーブルを接続し、該増設用の検知部を異常増水の高液位の検知信号として、前記設定・記憶部に予め設定の稼動設定時間と設定回数の判定基準情報に換えて認識し、前記処理部で前記判定基準情報を用いて対比判定された結果を基に、前記指令部からの指令を受けて給電開閉部から、前記２台以上の該当の非自動運転型電動ポンプのモータへの駆動電源が適正に制御供給されるよう構成されている。
【発明の効果】
【００１３】
本発明の非自動運転型電動ポンプの自動交互運転装置およびその制御方法によれば、従来のような二つの検知部をポンプ外部に繋留した１号ポンプと、前記三つの検知部をポンプ外部に繋留した２号ポンプの、それぞれ異なった２種類の専用の自動運転の電動ポンプを駆動制御する起動および停止の液位の設定変更に際して、電動ポンプに付設されたそれぞれの検知部の装着位置を上下方向に移動調整する面倒な作業が必要であると共に、検出部および制御部を電動ポンプと一体不可分に付設した自動運転専用の電動ポンプを必要とするのに対して、本発明では２台以上の非自動運転型電動ポンプを自動排水運転させるための自動交互運転装置において、液位を検知する検知部と、該検知の信号に基づいて前記２台以上のいずれか一方または双方或いは全ての非自動運転型電動ポンプのモータへの電源の供給又は停止を制御する制御回路部を装備したコントロールボックスに、前記２台以上の非自動運転型電動ポンプの電源ケーブルおよび前記検知部の信号ケーブルを接続し、該コントロールボックスに接続され導出される受電ケーブルを商用電源に接続させることで、前記制御部に制御電源が供給され、前記検知部を接液可能に槽内に設置させることで、前記検知部の検知信号に基づいて、前記２台以上の非自動運転型電動ポンプのモータ毎に負荷電流の検知と発停の各手段の制御を司る制御部によって、前記２台以上の非自動運転型電動ポンプのモータへの駆動電源が適正に制御供給することができるので、簡単な構成で非自動運転型電動ポンプの自動交互運転を可能とすることができ、小型・軽量化することができることから、小型の狭い槽内への設置に対して、検知部同士が絡み合うことなく、検知部同士が干渉しあうこともないので、検知部の位置調整が容易で作業性に優れていると共に、それぞれ異なった２種類の自動運転の電動ポンプを用いることなく、同一仕様の２台以上の非自動運転型電動ポンプで構成できることから、導入時のイニシャルコストも嵩むことなく、然も故障時対応の予備機も１台で対応できることからランニングコストも安価ですむという利点を有している。
【００１４】
また、コントロールボックスに検知部の信号ケーブルを接続するように構成されていることから、検知対象液の性状に合わせた最良の検知器に、現場で迅速かつ容易に交換対応することができるという利点も有している。
【００１５】
更にまた、前記コントロールボックスには、予め増設用の非自動運転型電動ポンプの電源ケーブルと検知部の信号ケーブルが接続できるよう構成されていることから、当初計画の流入排水処理を超える場合に対しても、現場で迅速かつ容易に非自動運転型電動ポンプを追加増設しても、予め追加増設のポンプを含めてそれぞれのポンプの発停頻度を平準化制御するように制御回路部に構成されていることから、現場で迅速かつ容易に非自動運転型電動ポンプと検知部の増設対応で、信頼の高い自動交互運転排水を行うことができるという利点も有している。
【図面の簡単な説明】
【００１６】
【図１】本発明の非自動運転型電動ポンプの自動交互運転装置に係る電気回路のブロック図である。
【図２】本発明の実施例１の一つの検知部に係る、非自動運転型電動ポンプの自動交互運転装置の制御フロー図である。
【図３】本発明の実施例２の増設による二つの検知部に係る、非自動運転型電動ポンプの自動交互運転装置の制御フロー図である。
【発明を実施するための最良の形態】
【００１７】
以下、本発明の非自動運転型電動ポンプの自動交互運転装置およびその制御方法の実施の形態を実施例に基づき、図面を参照して詳細に説明する。
【実施例１】
【００１８】
図１および２に示された、１は処理液を貯水処理する処理槽であり、該処理槽１内の液を排水する２台以上の非自動運転型電動ポンプＰ１，Ｐ２を自動排水運転させるための自動交互運転装置２において、該処理槽１内の液位を検知する検知部Ｓ１と、該検知の信号に基づいて、前記２台以上のいずれか一方または双方或いは全ての非自動運転型電動ポンプＰ１，Ｐ２のモータＭ１，Ｍ２への電源の供給または停止を制御する制御部３を装備したコントロールボックス４に、前記２台以上の非自動運転型電動ポンプＰ１，Ｐ２の電源ケーブルｅｋおよび前記検知部Ｓ１の信号ケーブルｓｋを一体的に接続してもよいが、望ましくは取替え作業が容易な着脱自在に接続することもでき、更に、受電ケーブルｊｋを該コントロールボックス４に一体的に接続してもよいが、望ましくは取替え作業が容易な着脱自在に接続可能に導出される受電ケーブルｊｋとして商用電源に接続させることで、前記制御部３に制御電源が供給され、前記検知部Ｓ１を接液可能に処理槽１内に設置させることで、前記検知部Ｓ１の検知信号に基づいて、前記２台以上の非自動運転型電動ポンプＰ１，Ｐ２のモータＭ１，Ｍ２毎に負荷電流の検知と発停の各手段の制御を司る制御部３によって、前記２台以上の非自動運転型電動ポンプＰ１，Ｐ２のモータＭ１，Ｍ２への駆動電源が適正に制御供給されるよう構成されている。
【実施例２】
【００１９】
前記実施例１に基づいて、図１および３に示された前記非自動運転型電動ポンプＰ１，Ｐ２，ＰＳの自動交互運転装置２であって、前記コントロールボックス４には、更に増設用の非自動運転型電動ポンプＰＳ或いは更に複数台のポンプＰＳ１・・ＰＳｎ（図示せず）を増設してもよく、それら増設用のポンプＰＳ・・ＰＳｎの電源ケーブルｅｋと検知部Ｓ２の信号ケーブルｓｋを一体的に接続してもよいが、着脱自在に接続できるよう構成されることが望ましい。
【実施例３】
【００２０】
前記実施例１または２に基づいて、図１に示された前記非自動運転型電動ポンプの自動交互運転装置Ｐ１，Ｐ２，（ＰＳ）であって、前記検知部Ｓ１，（Ｓ２）が導電性液体の液位を検知する電極で構成されている。
【実施例４】
【００２１】
前記実施例１または２に基づいて、図１に示された前記非自動運転型電動ポンプの自動交互運転装置Ｐ１，Ｐ２，（ＰＳ）であって、前記検知部Ｓ１，（Ｓ２）が非導電性液体に対しても液位検知が可能な、フロートスイッチまたは水圧センサ或いはプリズムセンサで構成されている。
【実施例５】
【００２２】
図１および２に示された、１は処理液を貯水処理する処理槽であり、該処理槽１内の液を排水する２台以上の非自動運転型電動ポンプＰ１，Ｐ２を自動排水運転させるための自動交互運転装置２の制御方法において、該処理槽１内の液位を検知する検知部Ｓ１と、該検知の信号に基づいて、前記２台以上のいずれか一方または双方或いは全ての非自動運転型電動ポンプＰ１，Ｐ２のモータＭ１，Ｍ２への電源の供給または停止を制御する制御部３を装備したコントロールボックス４に、前記２台以上の非自動運転型電動ポンプＰ１，Ｐ２の電源ケーブルｅｋおよび前記検知部Ｓ１の信号ケーブルｓｋを一体的に接続してもよいが、望ましくは取替え作業が容易な着脱自在に接続することもでき、該コントロールボックス４に一体的に接続してもよいが、望ましくは取替え作業が容易な着脱自在に接続可能に導出される受電ケーブルｊｋを商用電源に接続させることで、前記制御部３に制御電源が供給され、前記検知部Ｓ１を接液可能に処理槽１内に設置させることで、前記検知部Ｓ１の検知信号に基づいて、前記２台以上の非自動運転型電動ポンプＰ１，Ｐ２のモータＭ１，Ｍ２毎に負荷電流の検知と発停の各手段の制御を司る給電開閉部３ａ，処理部３ｂ，指令部３ｃ，設定・記憶部３ｄなどが内装された制御部３によって、前検知Ｓ１部からの検知信号に基づいて処理槽１内の液位Ｗ１状態か否かを判定し、前記設定・記憶部３ｄに予め設定または記憶された情報に基づいて、今回稼動該当のポンプと稼動設定時間と稼動無負荷設定電流および設定回数を判定基準情報として認識し、前記処理部３ｂで該判定基準情報を用いて対比判定された結果を基に、前記指令部３ｃからの指令を受けて給電開閉部３ａから、前記２台以上の該当の非自動運転型電動ポンプＰ１，Ｐ２のモータＭ１，Ｍ２への駆動電源が適正に制御供給されるよう構成されている。
【実施例６】
【００２３】
前記実施例５に基づいて、図１および３に示された前記非自動運転型電動ポンプＰ１，Ｐ２，（ＰＳ）の自動交互運転装置２の制御方法であって、前記コントロールボックス４に増設用の検知部Ｓ２の信号ケーブルｓｋを接続し、該増設用の検知部Ｓ２を異常増水の高液位Ｗ２の検知信号として、前記設定・記憶部３ｄに予め設定の稼動設定時間と設定回数の判定基準情報に換えて認識し、前記処理部３ｂで前記判定基準情報を用いて対比判定された結果を基に、前記指令部３ｃからの指令を受けて前記給電開閉部３ａから、前記２台以上の該当の非自動運転型電動ポンプＰ１，Ｐ２，（ＰＳ）のモータＭ１，Ｍ２，（ＭＳ）への駆動電源が適正に制御供給されるよう構成されている。
【符号の説明】
【００２４】
１            処理槽
２            非自動運転型電動ポンプの自動交互運転装置
３            制御部
３ａ          給電開閉部
３ｂ          処理部
３ｃ          指令部
３ｄ          設定・記憶部
４            コントロールボックス
５            商用電源
５ｃ          商用電源の接続具
Ｍ１          非自動運転型電動ポンプ(１号)のモータ
Ｍ２          非自動運転型電動ポンプ(２号)のモータ
ＭＳ          非自動運転型電動ポンプ(増設)のモータ
Ｐ１          非自動運転型電動ポンプ(１号)
Ｐ２          非自動運転型電動ポンプ(２号)
ＰＳ          非自動運転型電動ポンプ(増設)
Ｓ１          Ｗ１水位検知用の検知部
Ｓ２          Ｗ２水位検知用の増設用の検知部
ｅｋ          ポンプの電源ケーブル
ｊｋ          コントロールボックスの受電ケーブル
ｊｋｃ        受電ケーブルの接続具
ｓｋ          検知部の信号ケーブル
Ｗ１          検知部Ｓ１の検知水位
Ｗ２          増設検知部Ｓ２の検知水位
【図１】
2016037930.tif 000003
【図２】
2016037930.tif 000004
【図３】
2016037930.tif 000005